(57)【要約】【課題】製品全体の厚みを軽減できて持ち運び易い情報入力装置を提供する。【解決手段】読取装置２００は一対の検出装置８と外装カバー４００を備える。一対の検出装置８は開いた状態の外装カバー４００の前面に左右に並んで取り付けられている。外装カバー４００の右側覆い部４４２の前面には、検出装置８の背面が接触して固定されている。検出装置８の背面には、バッテリ装着部１５が突出して設けられている。右側覆い部４４２の中央には開口部４４７が設けられ、開口部４４７に対して、バッテリ装着部１５が配置されている。バッテリ装着部１５は開口部４４７を介して、右側覆い部４４２の背面側に露出する。それ故、時に外装カバー４００から検出装置８を外さずに、バッテリを着脱できる。さらに右側覆い部４４２の厚みでバッテリ装着部１５の厚みを吸収できるので、製品全体の厚みを軽減できる。【選択図】図２６
2014115974.tif 000002
【特許請求の範囲】
【請求項１】
用紙に書き込まれて入力される情報を取得可能な情報入力装置において、
近接する筆記具の位置を検出可能な板状体であって、前記用紙の紙面略全体に直接又は間接的に接触する検出部と、
前記検出部の前記用紙に直接又は間接的に接触する接触面とは反対側の外面に突出して設けられ、バッテリを着脱可能に装着する為のバッテリ装着部と、
前記検出部を外側から覆い且つ前記検出部の前記外面に接触させる板状の第一覆い部を備えるカバー部と
を備え、
前記第一覆い部は、
前記バッテリ装着部に対応する位置に開口して設けられ、前記バッテリ装着部を外側に露出させる開口部を備えたことを特徴とする情報入力装置。
【請求項２】
前記第一覆い部の前記検出部の前記外面に接触する面とは反対側の面には、前記開口部を外側から覆うと共に、前記開口部に対して開閉可能であって、一辺が開放された袋状を形成する開閉カバーが設けられていることを特徴とする請求項１に記載の情報入力装置。
【請求項３】
前記バッテリ装着部の前記外面から突出する側面のうち、前記開閉カバーの前記一辺に対向する部分が、前記開閉カバーの前記一辺側から内側に挿入される収納物の挿入方向に傾斜していることを特徴とする請求項２に記載の情報入力装置。
【請求項４】
前記検出部の前記外面には、
前記バッテリ装着部に隣接し、前記情報入力装置に関する情報を表示した表示部が前記外面から突出して設けられ、
前記開口部は、前記バッテリ装着部及び前記表示部に対応する位置に開口して設けられ、前記バッテリ装着部及び前記表示部を外側に露出させ、
前記表示部の前記外面から突出する高さは、前記第一覆い部の厚みと略同一であることを特徴とする請求項２又は３に記載の情報入力装置。
【請求項５】
前記表示部の前記外面から突出する側面のうち、前記開閉カバーの前記一辺に対向する部分が、前記開閉カバーの前記一辺側から内側に挿入される収納物の挿入方向に傾斜していることを特徴とする請求項４に記載の情報入力装置。
【請求項６】
前記用紙は、一対の表紙の間に複数重ねて配置され、且つ各々の縁部の一部で綴じられた冊子状の記録媒体を構成する用紙であって、
前記検出部は、近接する前記筆記具の位置を検出可能な一対の板状体であって、前記一対の表紙のうちの第一表紙の紙面略全体に接触し且つ前記第一表紙に接触する接触面とは反対側の外面に前記バッテリ装着部を備える第一検出部と、前記一対の表紙のうちの第二表紙の紙面略全体に接触する第二検出部とを備え、
前記カバー部は、前記第一検出部を外側から覆い且つ前記第一検出部の前記外面に接触させ、前記開口部及び前記開閉カバーを備える前記第一覆い部と、前記第一覆い部に対して開閉可能に連結され、前記第二検出部を外側から覆い且つ前記第二検出部の前記外面に接触させる板状の第二覆い部とを備え、
前記第一覆い部の上部と下部の間には、伸縮可能な帯状のバンドが設けられ、
前記バンドは、前記カバー部の開閉状態に対応して、前記第二覆い部及び前記開閉カバーのうち何れかに対して掛け止めされることを特徴とする請求項２から５の何れかに記載の情報入力装置。
【請求項７】
前記バンドは、前記第一覆い部の開放端側で且つ前記上部と前記下部の間に伸縮可能に設けられたことを特徴とする請求項６に記載の情報入力装置。
【発明の詳細な説明】
【技術分野】
【０００１】
本発明は、記録媒体上に入力される情報を取得可能な情報入力装置に関する。
【背景技術】
【０００２】
従来、複数枚の用紙が綴じられた冊子状の紙媒体に記入された情報を、電子化して保管および管理する技術が知られている。特許文献１に開示の情報管理システムでは、人間が手帳をデジタイザのパッドの上に載せて、専用ペンで手書きのコンテンツを記載する。手書きのコンテンツは、デジタイザによって画像データとして読み込まれ、ＰＣのメモリに記憶される。
【先行技術文献】
【特許文献】
【０００３】
【特許文献１】特開２００２−１３２９４３号公報
【発明の概要】
【発明が解決しようとする課題】
【０００４】
デジタイザにはバッテリ装着部が設けられるのが一般的である。バッテリ装着部にはバッテリが着脱される。バッテリ装着部を、例えばデジタイザの背面中央に設けた場合、その背面からバッテリ装着部の厚み分が突出する。そのようなデジタイザを外装カバーで覆った場合、製品全体が厚くなってしまい、持ち運びにくいという問題点があった。この問題を解消する為に、例えば、バッテリ装着部を、デジタイザに格納されたデジタイザ基板と重ならない位置に設けることで、デジタイザの厚みを軽減することが考えられるが、デジタイザのサイズが大きくなってしまい好ましくなかった。
【０００５】
本発明の目的は、製品全体の厚みを軽減できて持ち運び易い情報入力装置を提供することである。
【課題を解決するための手段】
【０００６】
本発明の一態様に係る情報入力装置は、用紙に書き込まれて入力される情報を取得可能な情報入力装置において、近接する筆記具の位置を検出可能な板状体であって、前記用紙の紙面略全体に直接又は間接的に接触する検出部と、前記検出部の前記用紙に直接又は間接的に接触する接触面とは反対側の外面に突出して設けられ、バッテリを着脱可能に装着する為のバッテリ装着部と、前記検出部を外側から覆い且つ前記検出部の前記外面に接触させる板状の第一覆い部を備えるカバー部とを備え、前記第一覆い部は、前記バッテリ装着部に対応する位置に開口して設けられ、前記バッテリ装着部を外側に露出させる開口部を備えたことを特徴とする。
【０００７】
上記情報入力装置では、バッテリ着脱時にカバー部から検出部を外す手間が不要となる。さらに、カバー部の厚みでバッテリ装着部の厚みを吸収できるので、製品全体の厚みを軽減できる。
【０００８】
また、第一態様では、前記第一覆い部の前記検出部の前記外面に接触する面とは反対側の面には、前記開口部を外側から覆うと共に、前記開口部に対して開閉可能であって、一辺が開放された袋状を形成する開閉カバーが設けられていてもよい。開閉カバーで開口部を隠すことで、装置の美観を損なわない。
【０００９】
また、第一態様では、前記バッテリ装着部の前記外面から突出する側面のうち、前記開閉カバーの前記一辺に対向する部分が、前記開閉カバーの前記一辺側から内側に挿入される収納物の挿入方向に傾斜していてもよい。資料や筆記具等の収納物を開閉カバー内に入れる際、バッテリ装着部の側面の段差に引っ掛からない。故に、収納物の入れ易さを向上できる。
【００１０】
また、第一態様では、前記検出部の前記外面には、前記バッテリ装着部に隣接し、前記情報入力装置に関する情報を表示した表示部が前記外面から突出して設けられ、前記開口部は、前記バッテリ装着部及び前記表示部に対応する位置に開口して設けられ、前記バッテリ装着部及び前記表示部を外側に露出させ、前記表示部の前記外面から突出する高さは、前記第一覆い部の厚みと略同一であってもよい。貼付部を第一覆い部の厚みと同じ高さにしたことで、バッテリ装着部との段差が目立たなくなる。
【００１１】
また、第一態様では、前記表示部の前記外面から突出する側面のうち、前記開閉カバーの前記一辺に対向する部分が、前記開閉カバーの前記一辺側から内側に挿入される収納物の挿入方向に傾斜していてもよい。収納物を開閉カバー内に入れる際、貼付部の側面の段差にも引っ掛からないので、入れ易さをさらに向上できる。
【００１２】
また、第一態様は、前記用紙は、一対の表紙の間に複数重ねて配置され、且つ各々の縁部の一部で綴じられた冊子状の記録媒体を構成する用紙であって、前記検出部は、近接する前記筆記具の位置を検出可能な一対の板状体であって、前記一対の表紙のうちの第一表紙の紙面略全体に接触し且つ前記第一表紙に接触する接触面とは反対側の外面に前記バッテリ装着部を備える第一検出部と、前記一対の表紙のうちの第二表紙の紙面略全体に接触する第二検出部とを備え、前記カバー部は、前記第一検出部を外側から覆い且つ前記第一検出部の前記外面に接触させ、前記開口部及び前記開閉カバーを備える前記第一覆い部と、前記第一覆い部に対して開閉可能に連結され、前記第二検出部を外側から覆い且つ前記第二検出部の前記外面に接触させる板状の第二覆い部とを備え、前記第一覆い部の上部と下部の間には、伸縮可能な帯状のバンドが設けられ、前記バンドは、前記カバー部の開閉状態に対応して、前記第二覆い部及び前記開閉カバーのうち何れかに対して掛け止めされるようにしてもよい。カバー部を閉じた状態では、バンドを第二覆い部に掛け止めすることによって、装置運搬時にカバー部が開いてしまうのを防止できる。装置を使用する為に、カバー部を開いた状態では、バンドを開閉カバーに掛け止めすることによって、開閉カバーが容易に開いてしまうのを防止できる。
【００１３】
また、第一態様では、前記バンドは、前記第一覆い部の開放端側で且つ前記上部と前記下部の間に伸縮可能に設けられてもよい。これにより、バンドを第二覆い部及び開閉カバーの何れに対しても容易に掛け止めできる。
【図面の簡単な説明】
【００１４】
【図１】手書入力システム１の全体構成図である。
【図２】開いた状態の読取装置２の斜め前方からみた斜視図である。
【図３】読取装置２の正面図である。
【図４】閉じた状態の読取装置２の斜め後方からみた斜視図である。
【図５】検出装置７Ｌ，７Ｒの部品展開図である。
【図６】検出装置７Ｌ，７Ｒの斜め後方からみた斜視図である。
【図７】後カバー８０Ｌ，８０Ｒを取り除いた、検出装置７Ｌ，７Ｒの斜め後方からみた斜視図である。
【図８】読取装置２の電気的構成を示すブロック図である。
【図９】媒体保持シート５Ｌ，５Ｒの斜め前方からみた斜視図である。
【図１０】紙媒体１００を見開きした背面図である。
【図１１】紙媒体１００、媒体保持シート５Ｌ，５Ｒ、および読取装置２の斜め前方からみた斜視図である。
【図１２】図３のＩ−Ｉ線矢視方向断面図である。
【図１３】図１２に示す読取装置２が閉じられた状態を示す断面図である。
【図１４】フォーマット設定処理のフローチャートである。
【図１５】変形例の紙媒体１００および読取装置２の斜め前方からみた斜視図である。
【図１６】変形例における、紙媒体１００が取り付けられた読取装置２の部分拡大斜視図である。
【図１７】変形例の紙媒体１００を見開きした背面図である。
【図１８】手書入力システム１８０の構成図である。
【図１９】読取装置２００の斜視図（紙媒体５００有り）である。
【図２０】読取装置２００の正面図である。
【図２１】外装カバー４００の正面図である。
【図２２】外装カバー４００の背面図である。
【図２３】検出装置７，８の分解斜視図である。
【図２４】検出装置７，８の背面図である。
【図２５】折り畳んだ状態の読取装置２００の背面図である。
【図２６】開閉カバー４５２を剥がした状態の読取装置２００の背面図である。
【図２７】図２４のＩＩ−ＩＩ線矢視方向断面図である。
【図２８】図２４のＩＩＩ−ＩＩＩ線矢視方向断面図である。
【発明を実施するための形態】
【００１５】
以下、本発明の第一，第二実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１６】
［第一実施形態］
本発明の第一実施形態について、図１〜図１７を参照して説明する。
＜１．手書入力システム１の概要＞
図１〜図３を参照して、手書入力システム１の概要を説明する。以下の説明では、図１の上側、下側、左側、右側を、手書入力システム１の後側、前側、左側、右側と定義する。図２の上側、下側、左上側、右下側、右上側、左下側を、それぞれ、読取装置２、媒体保持シート５Ｌ，５Ｒ、および紙媒体１００の前側、後側、左側、右側、上側、下側と定義する。図３の上側、下側、左側、右側、手前側、奥側を、それぞれ、読取装置２、媒体保持シート５Ｌ，５Ｒ、および紙媒体１００の上側、下側、左側、右側、前側、後側と定義する。図１に示す読取装置２は、読取装置２が開閉される途中の状態を示す。図２および図３に示す読取装置２は、読取装置２が開かれた状態を示す。
【００１７】
図１に示すように、手書入力システム１は、読取装置２、電子ペン３、一対の媒体保持シート５Ｌ，５Ｒ、紙媒体１００などを含む。読取装置２は、左右方向に折り畳み（つまり、二つ折り）が可能で、且つ、ユーザが携行可能なタブレット型の手書き入力装置である。電子ペン３は、紙媒体１００にインクで情報（文字、記号、図形、数字等）を記入でき、且つ、記入される情報を読取装置２に入力可能な筆記具である。一対の媒体保持シート５Ｌ，５Ｒは、紙媒体１００を読取装置２に取り付けるための板状部材である。紙媒体１００は、電子ペン３によって情報が記入される冊子状の記録媒体である。
【００１８】
図２および図３に示すように、手書入力システム１では、紙媒体１００が媒体保持シート５Ｌ，５Ｒを介して、読取装置２の前面に固定される。ユーザが電子ペン３を用いて、読取装置２に固定された紙媒体１００に情報を記入する。読取装置２は、紙媒体１００に情報を記入する電子ペン３の軌跡を検出して、後述のストロークデータを取得する。本実施形態の読取装置２は、近傍に位置するＰＣ９と無線通信が可能である。読取装置２で取得されたストロークデータは、例えばユーザが入力した転送指示に応じて、ＰＣ９に転送される。ＰＣ９は、読取装置２から転送されたストロークデータに基づいて、紙媒体１００に記入された情報を電子化した画像ファイルを生成および表示可能である。
【００１９】
＜２．読取装置２の構造＞
図１〜図８を参照して、読取装置２の構造を説明する。図４に示す読取装置２は、読取装置２が閉じられた状態を示す。図４では、バッテリ着脱口４８を二点鎖線で示し、面ファスナ４９Ａ，４９Ｂを点鎖ハッチで示す。
【００２０】
図１〜図３に示すように、読取装置２では、可撓性の外装カバー４の内部に、一対の検出装置７Ｌ，７Ｒが左右に並んで収容されている。以下では、理解を容易にするために、図２および図３に示すように読取装置２が折り曲げられていない状態（つまり、後述の外装カバー４の左側覆い部４Ｌと右側覆い部４Ｒとが左右方向に平行に並ぶ状態）を基準として、各構成の位置関係を説明する。
【００２１】
＜２−１．外装カバー４の詳細構造＞
外装カバー４の詳細構造を説明する。図１〜図４に示すように、外装カバー４は、上辺以外の三辺がシールされた、折り曲げられていない状態で左右方向に長い矩形状の袋体である。外装カバー４は、上方に開口する収容口４０を有する。収容口４０は、外装カバー４が折り曲げられていない状態で左右方向に延びる、前後方向の開口幅が小さいスリット状の開口部である。外装カバー４は、例えば合成皮革、ナイロン素材、又はポリエステル素材等によって作製されているため、外力に応じて変形可能な柔軟性を有する。
【００２２】
一対の検出装置７Ｌ，７Ｒは、正面視で上下方向に長い矩形状であり、且つ前後方向の厚みが小さい箱状体である。検出装置７Ｌの内部には、後述のデジタイザ基板１０Ｌおよびセンサ制御基板１１（図８参照）が収容される。検出装置７Ｒの内部には、後述のデジタイザ基板１０Ｒ、センサ制御基板１２、およびメイン基板２０（図７参照）が収容される。
【００２３】
検出装置７Ｌ，７Ｒは、収容口４０を介して外装カバー４の内部に、互いに離間して収容される。このとき、検出装置７Ｌは、外装カバー４の左側覆い部４Ｌに配置される。検出装置７Ｒは、外装カバー４の右側覆い部４Ｒに配置される。検出装置７Ｌと検出装置７Ｒとの間に形成される隙間は、外装カバー４の左右方向の中央部分４Ｍに位置する。したがって、外装カバー４では、中央部分４Ｍを中心にして、右側覆い部４Ｒおよび左側覆い部４Ｌを開閉可能である。
【００２４】
言い換えると、検出装置７Ｌ，７Ｒの可動範囲は、次のように定義できる。検出装置７Ｌ，７Ｒは、各々の対向する辺同士（つまり、検出装置７Ｌの右辺および検出装置７Ｒの左辺）が平行に延びるように、外装カバー４内に並んで配置される。検出装置７Ｌ，７Ｒの間には、各々の対向する辺同士の間を延びる軸線Ｏ（具体的には、検出装置７Ｌ，７Ｒの間を上下方向に延びる線）に沿って隙間が生じている。そのため、検出装置７Ｌ，７Ｒは、軸線Ｏを中心に回転可能であり、且つ、軸線Ｏを挟んで互いに近接および離間する方向に移動可能である。このような検出装置７Ｌ，７Ｒの可動範囲は、後述のデジタイザ基板１０Ｌ，１０Ｒの可動範囲と同義である。
【００２５】
左側覆い部４Ｌの前面４１Ｌと右側覆い部４Ｒの前面４１Ｒとは、外装カバー４が閉じられると左右方向に対向する。前面４１Ｌの左上部分および左下部分には、それぞれ、左右方向に長い貫通穴であるガイド穴４２Ｌ，４３Ｌが設けられている。つまり、ガイド穴４２Ｌ，４３Ｌは、前面４１Ｌにおいて閉鎖側端部（中央部分４Ｍ）から最も離間した開放側端部の上下両側に設けられている。前面４１Ｒの右上部分および右下部分には、左右方向に長い貫通穴であるガイド穴４２Ｒ，４３Ｒが設けられている。つまり、ガイド穴４２Ｒ，４３Ｒは、前面４１Ｒにおいて閉鎖側端部（中央部分４Ｍ）から最も離間した開放側端部の上下両側に設けられている。前面４１Ｒにおけるガイド穴４２Ｒの下側には、上下方向に長い矩形状の切り欠きであるセンサ窓４４が設けられている。
【００２６】
図４に示すように、右側覆い部４Ｒの後面４５Ｒには、開閉カバー４６が設けられている。後面４５Ｒの中央位置には、略正方形の切り欠きであるバッテリ着脱口４８が設けられている。開閉カバー４６は、上下方向に沿って長い矩形状であり、少なくともバッテリ着脱口４８を覆う。バッテリ着脱口４８は、後述のバッテリ装着部８２を外装カバー４の外部に露出させるための開口である。
【００２７】
開閉カバー４６の右辺部は、右側覆い部４Ｒの右辺部（つまり、開放側端部）と連結されている。開閉カバー４６の上辺部および下辺部は、それぞれ、後面４５Ｒに設けられた面ファスナ４９Ａ，４９Ｂに接着されている。開閉カバー４６の左辺部は、後面４５Ｒに接着されておらず、後面４５Ｒに対して隙間を形成可能である。したがって、開閉カバー４６と後面４５Ｒとで囲まれた空間は、開閉カバー４６の左辺部から物品を収容可能な収容ポケット４７として機能する。一方、開閉カバー４６を面ファスナ４９Ａ，４９Ｂから剥がすと、開閉カバー４６によって被覆されていたバッテリ着脱口４８が、外部に露出する（図１２参照）。
【００２８】
＜２−２．検出装置７Ｌ，７Ｒの詳細構造＞
検出装置７Ｌ，７Ｒの詳細構造を説明する。図５に示すように、検出装置７Ｌは、前カバー７０Ｌおよび後カバー８０Ｌを備える。前カバー７０Ｌおよび後カバー８０Ｌは、上下方向に長い略矩形状の樹脂板である。後カバー８０Ｌの前面には、デジタイザ基板１０Ｌなどの電子部品が配置される基板配置部８１Ｌが設けられている。基板配置部８１Ｌにデジタイザ基板１０Ｌなどの電子部品が配置された状態で、前カバー７０Ｌが後カバー８０Ｌに組み付けられる。
【００２９】
前カバー７０Ｌの前面には、二つの取付部７１Ｌ，７２Ｌが設けられている。取付部７１Ｌ，７２Ｌは、それぞれ、前カバー７０Ｌの左上隅部および左下隅部に設けられる。取付部７１Ｌ，７２Ｌは、媒体保持シート５Ｌを連結固定するための部材であり、本実施形態ではデジタイザ基板１０Ｌに対向する後述の表紙１１０Ｌ（図１参照）に向けて突出する鉤状体である。取付部７１Ｌ，７２Ｌは、表紙１１０Ｌの紙面略全体がデジタイザ基板１０Ｌと対向するように、表紙１１０Ｌを位置決めするが、詳細は後述する。
【００３０】
検出装置７Ｒは、前カバー７０Ｒおよび後カバー８０Ｒを備える。前カバー７０Ｒおよび後カバー８０Ｒは、上下方向に長い略矩形状の樹脂板である。後カバー８０Ｒの前面には、デジタイザ基板１０Ｒなどの電子部品が配置される基板配置部８１Ｒが設けられている。基板配置部８１Ｒにデジタイザ基板１０Ｒなどの電子部品が配置された状態で、前カバー７０Ｒが後カバー８０Ｒに組み付けられる。
【００３１】
前カバー７０Ｒの前面には、二つの取付部７１Ｒ，７２Ｒが設けられている。取付部７１Ｒ，７２Ｒは、それぞれ、前カバー７０Ｒの右上隅部および右下隅部に設けられる。取付部７１Ｒ，７２Ｒは、媒体保持シート５Ｒを連結固定するための部材であり、本実施形態ではデジタイザ基板１０Ｒに対向する後述の表紙１１０Ｒ（図１参照）に向けて突出する鉤状体である。取付部７１Ｒ，７２Ｒは、表紙１１０Ｒの紙面略全体がデジタイザ基板１０Ｒと対向するように、表紙１１０Ｒを位置決めするが、詳細は後述する。
【００３２】
さらに、前カバー７０Ｒには、読取窓７３およびスイッチ収容部７４が設けられている。読取窓７３は、取付部７１Ｒの下側に設けられ、後述のセンサ部２４の前方を覆う。読取窓７３は、上下方向に長い矩形状であり、センサ部２４から発せられた光が透過可能な透明板である。スイッチ収容部７４は、前カバー７０Ｒの右上部分に設けられ、メイン基板２０の各種スイッチ部品を収容する。
【００３３】
図５および図６に示すように、後カバー８０Ｒの中央部には、バッテリ装着部８２が設けられている。バッテリ装着部８２は、後カバー８０Ｒの後面から若干後方に突出している。バッテリ装着部８２は、後カバー８０Ｒの後面において開口する装着口８２Ａを有する。ユーザは後カバー８０Ｒの後方からカバー８２Ｃを着脱して、装着口８２Ａを開閉できる。さらにユーザは、カバー８２Ｃを取り外した装着口８２Ａに対して、読取装置２に電源を供給するバッテリ１９を着脱できる。
【００３４】
＜２−３．読取装置２の電気的構造＞
読取装置２の電気的構造を、各種電子部品の配置と併せて説明する。図７および図８に示すように、読取装置２は、デジタイザ基板１０Ｌ，１０Ｒ、センサ制御基板１１，１２、およびメイン基板２０を備える。デジタイザ基板１０Ｌ，１０Ｒは、Ｘ軸方向（具体的には、左右方向）およびＹ軸方向（具体的には、上下方向）の各々に細長いループコイルが多数配列された基板であって、近接する電子ペン３の位置を検出可能である。デジタイザ基板１０Ｌ，１０Ｒは、それぞれ、検出装置７Ｌ，７Ｒのほぼ全面に亘る大きさを有する、上下方向に長い矩形状である。本実施形態のデジタイザ基板１０Ｌ，１０Ｒは、それぞれ、Ａ５サイズの表紙１１０Ｌ，１１０Ｒの紙面略全体に対向可能な大きさを有する。
【００３５】
メイン基板２０は、ＣＰＵ２１、フラッシュＲＯＭ２２、無線通信部２３、センサ部２４などを備えている。フラッシュＲＯＭ２２および無線通信部２３は、ＣＰＵ２１に電気的に接続されている。ＣＰＵ２１は、読取装置２の制御を行う。フラッシュＲＯＭ２２には、ＣＰＵ２１が読取装置２を制御するために実行する各種プログラムが記憶されている。さらに、紙媒体１００に情報を記入する電子ペン３の軌跡を示すストロークデータが、フラッシュＲＯＭ２２に記憶される。ストロークデータは、デジタイザ基板１０Ｌ，１０Ｒによって経時的に検出された電子ペン３の複数の位置情報（例えば、座標情報）によって、紙媒体１００に情報を記入する電子ペン３の軌跡を特定する。
【００３６】
無線通信部２３は、外部の電子機器（例えば、図２に示すＰＣ９）と近距離無線通信を実行するためのコントローラである。センサ部２４は、取付部７１Ｒ，７２Ｒによって表紙１１０Ｒが位置決めされた状態で、表紙１１０Ｒに設けられた画像パターンから光学的に情報を読み取り可能である。本実施形態のセンサ部２４は、表紙１１０Ｒのタグ部１３０に設けられた後述の識別マーク１４０（図１０参照）を読み取り可能な複数の光センサである。図５に示す例では、センサ部２４は上下方向に並ぶ六つの光センサで構成されている。
【００３７】
図５に示すように、メイン基板２０は、デジタイザ基板１０Ｌ，１０Ｒよりも面積が小さく、且つ左右方向に長い矩形状である。メイン基板２０の上端部分には、図示外の電源スイッチ、発光素子、無線通信部２３などの各種スイッチ部品が設けられている。さらに、メイン基板２０の右端部分には、センサ部２４が設けられている。メイン基板２０は、基板配置部８１Ｒの上側部分に配置される。デジタイザ基板１０Ｒは、基板配置部８１Ｒにおいてメイン基板２０の前面側に配置される。
【００３８】
デジタイザ基板１０Ｒおよびメイン基板２０が基板配置部８１Ｒに配置された場合、メイン基板２０の各種スイッチ部品およびセンサ部２４は、デジタイザ基板１０Ｒで被覆されずに前方に露出する。後カバー８０Ｒに前カバー７０Ｒが組み付けられると、メイン基板２０の各種スイッチ部品は先述のスイッチ収容部７４に収容され、センサ部２４は読取窓７３の後方に配置される。
【００３９】
図７および図８に示すように、デジタイザ基板１０Ｌの後面側には、ＡＳＩＣ１１Ａを備えたセンサ制御基板１１が設けられている。デジタイザ基板１０Ｌは、センサ制御基板のＡＳＩＣ１１Ａに電気的に接続されている。デジタイザ基板１０Ｒの後面側には、ＡＳＩＣ１２Ａを備えたセンサ制御基板１２が設けられている。デジタイザ基板１０Ｒは、センサ制御基板のＡＳＩＣ１２Ａに電気的に接続されている。ＡＳＩＣ１１ＡとＡＳＩＣ１２Ａとは、フレキシブルケーブル１３によって接続されている。
【００４０】
ＣＰＵ２１はＡＳＩＣ１１Ａを制御して、電子ペン３による記入動作がデジタイザ基板１０Ｌの近傍で行われた場合に、記入動作に基づいてストロークデータを取得する。ＣＰＵ２１はＡＳＩＣ１２Ａを制御して、電子ペン３による記入動作がデジタイザ基板１０Ｒの近傍で行われた場合に、記入動作に基づいてストロークデータを取得する。これらのストロークデータが取得される原理は、別途後述する。ＡＳＩＣ１１Ａ，１２Ａのうち、マスター側のＡＳＩＣ１２ＡはＣＰＵ２１に直接接続され、スレーブ側のＡＳＩＣ１１ＡはＡＳＩＣ１２Ａを介してＣＰＵ２１に接続されている。
【００４１】
先述したように、読取装置２にはバッテリ装着部８２が設けられている。図７に示すように、バッテリ装着部８２には、メイン基板２０と接続するための接続端子８２Ｂが設けられている。バッテリ１９が装着口８２Ａに装着されると、バッテリ１９が接続端子８２Ｂを介してメイン基板２０に電気的に接続される。これにより、バッテリ１９からメイン基板２０に電源が供給される。
【００４２】
＜３．電子ペン３の構造＞
図２を参照して、電子ペン３の構造を説明する。電子ペン３は、芯体３１、コイル３２、可変容量コンデンサ３３、基板３４、コンデンサ３５、およびインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。
【００４３】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５および可変容量コンデンサ３３はコイル３２に並列に接続され、周知の共振（同調）回路を構成する。ユーザが電子ペン３を用いて紙媒体１００に記入すると、インクによって紙媒体１００に情報が形成され、且つ、記入される情報が公知の電磁誘導式で読取装置２に入力される。
【００４４】
＜４．媒体保持シート５Ｌ，５Ｒの構造＞
図９を参照して、媒体保持シート５Ｌ，５Ｒの構造を説明する。媒体保持シート５Ｌ，５Ｒは、紙媒体１００の用紙サイズ毎に用意されている。本実施形態の媒体保持シート５Ｌ，５Ｒは、Ａ５サイズの紙媒体１００専用である。
【００４５】
媒体保持シート５Ｌは、表紙１１０Ｌを読取装置２の前面４１Ｌに固定するための樹脂板である。本実施形態では、媒体保持シート５Ｌの前面５０Ｌは、Ａ５サイズの表紙１１０Ｌの略全体を貼り付け可能な大きさを有する。媒体保持シート５Ｌでは、表紙１１０Ｌが前面５０Ｌに面接触して固定可能である。
【００４６】
媒体保持シート５Ｌには、略Ｌの字型の板状体である位置決め部５１Ｌ，５２Ｌと、前後方向に貫通する二つの連結穴５３Ｌ，５４Ｌとが設けられている。連結穴５３Ｌは、媒体保持シート５Ｌの左上隅部に設けられる。連結穴５４Ｌは、媒体保持シート５Ｌの左下隅部に設けられる。連結穴５３Ｌ，５４Ｌは、正面視で略Ｈの字型に切り欠かれており、それぞれ先述の取付部７１Ｌ，７２Ｌが連結固定される。
【００４７】
位置決め部５１Ｌ，５２Ｌは、それぞれ、前面５０Ｌにおける連結穴５３Ｌ，５４Ｌの右側に設けられる。位置決め部５１Ｌは、表紙１１０Ｌの左上隅部を位置決めするための部材である。位置決め部５２Ｌは、表紙１１０Ｌの左下隅部を位置決めするための部材である。本実施形態では、位置決め部５１Ｌ，５２ＬがＡ５サイズの表紙１１０Ｌの左上隅部および左下隅部に対応する位置に設けられている。表紙１１０Ｌは、位置決め部５１Ｌ，５２Ｌよりも右側の領域に位置決めされた状態で、前面５０Ｌに貼り付けられる。
【００４８】
先述の連結穴５３Ｌ，５４Ｌは、位置決め部５１Ｌ，５２Ｌよりも左側の領域に設けられている。つまり、連結穴５３Ｌ，５４Ｌは、前面５０Ｌと直交する方向（本実施形態では前後方向）において、位置決め部５１Ｌ，５２Ｌによって位置決めされた表紙１１０Ｌと重複しない位置に形成されている。したがって、取付部７１Ｌ，７２Ｌが連結穴５３Ｌ，５４Ｌに連結固定された場合、取付部７１Ｌ，７２Ｌは前面５０Ｌに貼り付けられた表紙１１０Ｌと干渉しない。
【００４９】
媒体保持シート５Ｒは、表紙１１０Ｒを読取装置２の前面４１Ｒに固定するための樹脂板である。本実施形態では媒体保持シート５Ｒの前面５０Ｒは、Ａ５サイズの表紙１１０Ｒの略全体を貼り付け可能な大きさを有する。媒体保持シート５Ｒでは、表紙１１０Ｒが前面５０Ｒに面接触して固定可能である。
【００５０】
媒体保持シート５Ｒには、略Ｌの字型の板状体である位置決め部５１Ｒ，５２Ｒと、前後方向に貫通する二つの連結穴５３Ｒ，５４Ｒとが設けられている。連結穴５３Ｒは、媒体保持シート５Ｒの右上隅部に設けられる。連結穴５４Ｒは、媒体保持シート５Ｒの右下隅部に設けられる。連結穴５３Ｒ，５４Ｒは、正面視で略Ｈの字型に切り欠かれており、それぞれ先述の取付部７１Ｒ，７２Ｒが連結固定される。
【００５１】
位置決め部５１Ｒ，５２Ｒは、それぞれ、前面５０Ｒにおける連結穴５３Ｒ，５４Ｒの左側に設けられる。位置決め部５１Ｒは、表紙１１０Ｒの右上隅部を位置決めするための部材である。位置決め部５２Ｒは、表紙１１０Ｒの右下隅部を位置決めするための部材である。本実施形態では、位置決め部５１Ｒ，５２ＲがＡ５サイズの表紙１１０Ｒの右上隅部および右下隅部に対応する位置に設けられている。表紙１１０Ｒは、位置決め部５１Ｒ，５２Ｒよりも左側の領域に位置決めされた状態で、前面５０Ｒに貼り付けられる。
【００５２】
先述の連結穴５３Ｒ，５４Ｒは、位置決め部５１Ｒ，５２Ｒよりも右側の領域に設けられている。つまり、連結穴５３Ｒ，５４Ｒは、位置決め部５１Ｒ，５２Ｒによって位置決めされた表紙１１０Ｒと重複しない位置に形成されている。したがって、取付部７１Ｒ，７２Ｒが連結穴５３Ｒ，５４Ｒに連結固定された場合、取付部７１Ｒ，７２Ｒは前面５０Ｒに貼り付けられた表紙１１０Ｒと干渉しない。
【００５３】
さらに、媒体保持シート５Ｒには、センサ穴５８およびシール部材５６が設けられている。センサ穴５８は、連結穴５３Ｒの下側に設けられた、上下方向に並ぶ六つの正方形状の貫通穴を有する。センサ穴５８が有する六つの貫通穴は、それぞれセンサ部２４（図５参照）が有する六つの光センサに対応している。
【００５４】
シール部材５６は、前面５０Ｒの一部を覆う非透光性の板状体であり、正面視で少なくともセンサ穴５８を塞ぐ。シール部材５６は、上下方向に長い矩形状であり、且つ、左辺を除く三辺で前面５０Ｒに固定されている。したがって、シール部材５６の左辺部は、前面５０Ｒに対して隙間を形成可能である。なお、本実施形態では部品数低減のため、位置決め部５１Ｒとシール部材５６とが、連結された一部品の板部５７を構成する。
【００５５】
前面５０Ｒのうちでシール部材５６によって被覆される部分が、被覆部５９である。シール部材５６と被覆部５９とで囲まれる袋状の部位が、タグ収容部５５である（図２参照）。タグ収容部５５は、シール部材５６の左辺部から前面５０Ｒに沿って後述のタグ部１３０（図１０参照）を挿入可能である。被覆部５９の少なくとも一部は透光性を有するため、媒体保持シート５Ｒの後方からタグ収容部５５内に光照射が可能である。本実施形態では、被覆部５９に形成されているセンサ穴５８を介して、媒体保持シート５Ｒの後方からタグ収容部５５内に光照射が可能である。
【００５６】
＜５．紙媒体１００の構造＞
図１０を参照して、紙媒体１００の構造を説明する。紙媒体１００は、表紙１１０Ｌと表紙１１０Ｒとの間に複数の用紙１２０が綴じられた、左右方向に見開き可能な冊子状である。つまり、紙媒体１００では、一対の表紙１１０Ｌ，１１０Ｒと複数の用紙１２０とが、各々の縁部の一部で綴じられている。一例として、本実施形態の紙媒体１００はＡ５サイズのノートであり、用紙１２０は例えば罫線が２０本引かれた文書用フォーマットを有する。
【００５７】
紙媒体１００は、表紙１１０Ｒの一部が外側に突出するタグ部１３０を有する。本実施形態のタグ部１３０は、表紙１１０Ｒの右上部分から右方向に突出する。タグ部１３０は、上下方向に長い矩形状であり、各種情報（例えば、タイトル、索引、巻数など）を記入可能である。本実施形態では、用紙１２０のフォーマットを示す識別マーク１４０が、タグ部１３０の後面に印刷されている。識別マーク１４０は、上下方向にならぶ六つの識別領域１４１〜１４６を有する。六つの識別領域１４１〜１４６は、センサ穴５８（図９参照）が有する六つの貫通穴にそれぞれ対応している。各識別領域１４１〜１４６は、いずれも矩形状であり、未着色（白）または黒で色分けされている。六つの識別領域１４１〜１４６の組合せパターン（つまり、識別マーク１４０のバーパターン）によって、用紙１２０のフォーマットに対応するコード情報が示される。
【００５８】
＜６．手書入力システム１の使用態様＞
図４、図１１〜図１３を参照して、ユーザが手書入力システム１を使用する態様を説明する。図１１では、理解を容易にするために、外装カバー４を省略している。図１２では、開放された開閉カバー４６を、二点鎖線で示している。
【００５９】
図１１に示すように、まずユーザは、情報を記入する紙媒体１００に、媒体保持シート５Ｌ，５Ｒを取り付ける。詳細には、ユーザは媒体保持シート５Ｌの前面５０Ｌ上で、表紙１１０Ｌの開放側上端部（本実施形態では左上隅部）を位置決め部５１Ｌに位置決めし、且つ、表紙１１０Ｌの開放側下端部（本実施形態では左下隅部）を位置決め部５２Ｌに位置決めする。このように表紙１１０Ｌが位置決めされた状態で、ユーザは表紙１１０Ｌを両面テープ１６０Ｌ（図１２参照）で前面５０Ｌに貼り付ける。これにより、表紙１１０Ｌが媒体保持シート５Ｌに保持される。
【００６０】
同様に、ユーザは媒体保持シート５Ｒの前面５０Ｒ上で、表紙１１０Ｒの開放側上端部（本実施形態では右上隅部）を位置決め部５１Ｒに位置決めし、且つ、表紙１１０Ｒの開放側下端部（本実施形態では右下隅部）を位置決め部５２Ｒに位置決めする。このとき、ユーザはタグ部１３０を前面５０Ｒに沿って右方向に移動させ、タグ部１３０をタグ収容部５５内に挿入する。このように表紙１１０Ｒが位置決めされた状態で、ユーザは表紙１１０Ｒを両面テープ１６０Ｒ（図１２参照）で前面５０Ｒに貼り付ける。これにより、表紙１１０Ｒが媒体保持シート５Ｒに保持される。
【００６１】
次にユーザは、媒体保持シート５Ｌ，５Ｒを読取装置２に取り付ける。詳細には、ユーザは媒体保持シート５Ｌ，５Ｒを、それぞれ、読取装置２の前面４１Ｌ，４１Ｒに対向して配置する。ユーザは、前面４１Ｌから前方に突出する取付部７１Ｌ，７２Ｌを、それぞれ連結穴５３Ｌ，５４Ｌに挿入する。これにより、取付部７１Ｌ，７２Ｌがそれぞれ連結穴５３Ｌ，５４Ｌに係止されて、媒体保持シート５Ｌが検出装置７Ｌに連結される。同様に、ユーザは前面４１Ｒから前方に突出する取付部７１Ｒ，７２Ｒを、それぞれ連結穴５３Ｒ，５４Ｒに挿入する。これにより、取付部７１Ｒ，７２Ｒがそれぞれ連結穴５３Ｒ，５４Ｒに係止されて、媒体保持シート５Ｒが検出装置７Ｒに連結される。
【００６２】
以上の手順によって、紙媒体１００が媒体保持シート５Ｌ，５Ｒを介して読取装置２に取り付けられる。図１２に示すように、読取装置２が開かれた状態では、表紙１１０Ｌの紙面略全体がデジタイザ基板１０Ｌと平行に対向するように、表紙１１０Ｌが前面４１Ｌで位置決めされている。表紙１１０Ｌと重なっている用紙１２０も、紙面略全体がデジタイザ基板１０Ｌと平行に対向している。この状態では、表紙１１０Ｌと重なっている用紙１２０に情報を記入する電子ペン３を、デジタイザ基板１０Ｌが正確に検出できる。
【００６３】
同様に、表紙１１０Ｒの紙面略全体がデジタイザ基板１０Ｒと平行に対向するように、表紙１１０Ｒが前面４１Ｒで位置決めされている。表紙１１０Ｒと重なっている用紙１２０も、紙面略全体がデジタイザ基板１０Ｒと平行に対向している。この状態では、表紙１１０Ｒと重なっている用紙１２０に情報を記入する電子ペン３を、デジタイザ基板１０Ｒが正確に検出できる。
【００６４】
例えば、読取装置２に傾斜または振動が生じると、紙媒体１００を前後左右方向に移動させる外力が付与されることがある。しかしながら、外装カバー４のガイド穴４２Ｌ，４３Ｌによって、取付部７１Ｌ，７２Ｌの前後左右方向の移動範囲が規制されている。同様に、外装カバー４のガイド穴４２Ｒ，４３Ｒによって、取付部７１Ｒ，７２Ｒの前後左右方向の移動範囲が規制されている。そのため、紙媒体１００を前後左右方向に移動させる外力が付与されても、取付部７１Ｌ，７２Ｌが媒体保持シート５Ｌを介して表紙１１０Ｌの移動範囲を規制し、且つ、取付部７１Ｒ，７２Ｒが媒体保持シート５Ｒを介して表紙１１０Ｒの移動範囲を規制する。
【００６５】
つまり、読取装置２に取り付けられた紙媒体１００は、外力によって大幅に移動することが抑制されている。紙媒体１００とデジタイザ基板１０Ｌ，１０Ｒとの位置関係は変化しにくいため、紙媒体１００がデジタイザ基板１０Ｌ，１０Ｒと対向した状態が維持される。つまり、用紙１２０に情報を記入する電子ペン３を、デジタイザ基板１０Ｌ，１０Ｒで正確に検出される状態が維持される。
【００６６】
さらに、紙媒体１００の挙動に連動して、取付部７１Ｌ，７２Ｌがガイド穴４２Ｌ，４３Ｌで規制される範囲内で移動することがある。この場合、取付部７１Ｌ，７２Ｌを介して、紙媒体１００と同じ移動方向および移動量で、検出装置７Ｌ（つまり、デジタイザ基板１０Ｌ）が前後左右方向に移動する。同様に、紙媒体１００の挙動に連動して、取付部７１Ｒ，７２Ｒを介して、紙媒体１００と同じ移動方向および移動量で、検出装置７Ｒ（つまり、デジタイザ基板１０Ｒ）が前後左右方向に移動する。したがって、紙媒体１００とデジタイザ基板１０Ｌ，１０Ｒとの位置関係は変化しにくいため、デジタイザ基板１０Ｌ，１０Ｒで正確に検出される状態が維持される。
【００６７】
図１２に示す読取装置２が開かれた状態では、面一に連続する前面４１Ｌ，４１Ｒに対向して紙媒体１００も開かれた状態となる。このとき、取付部７１Ｌ，７２Ｌは、それぞれガイド穴４２Ｌ，４３Ｌ内で閉鎖側端部（本実施形態では、ガイド穴４２Ｌ，４３Ｌの右端位置）まで移動している。取付部７１Ｒ，７２Ｒは、それぞれガイド穴４２Ｒ，４３Ｒ内で閉鎖側端部（本実施形態では、ガイド穴４２Ｒ，４３Ｒの左端位置）まで移動している。つまり、外装カバー４の内部では、検出装置７Ｌと検出装置７Ｒとの離間距離が最も小さくなる。
【００６８】
一方、読取装置２が閉じられるのに伴って、紙媒体１００も閉じられる。このとき、外装カバー４の内部では、検出装置７Ｌが表紙１１０Ｌの挙動に追従して、軸線Ｏ（図１参照）を中心に前方に回転する。同時に、検出装置７Ｒが表紙１１０Ｒの挙動に追従して、軸線Ｏを中心に前方に回転する。このとき、デジタイザ基板１０Ｌと媒体保持シート５Ｌの平行状態を維持しつつ、取付部７１Ｌ，７２Ｌはそれぞれガイド穴４２Ｌ，４３Ｌ内で開放側（本実施形態では左側）に移動する。同時に、デジタイザ基板１０Ｒと媒体保持シート５Ｒの平行状態を維持しつつ、取付部７１Ｒ，７２Ｒはそれぞれガイド穴４２Ｒ，４３Ｒ内で開放側（本実施形態では右側）に移動する。つまり、検出装置７Ｌ，７Ｒの回転に伴って、検出装置７Ｌと検出装置７Ｒとの離間距離が徐々に大きくなる。
【００６９】
図１３に示すように読取装置２が閉じられた状態では、対向する前面４１Ｌ，４１Ｒの間で、媒体保持シート５Ｌ，５Ｒが取り付けられた紙媒体１００も閉じられる。このとき、取付部７１Ｌ，７２Ｌは、それぞれガイド穴４２Ｌ，４３Ｌ内で開放側端部（本実施形態では、ガイド穴４２Ｌ，４３Ｌの左端位置）まで移動している。取付部７１Ｒ，７２Ｒは、それぞれガイド穴４２Ｒ，４３Ｒ内で開放側端部（本実施形態では、ガイド穴４２Ｒ，４３Ｒの右端位置）まで移動している。つまり、外装カバー４の内部では、検出装置７Ｌと検出装置７Ｒとの離間距離が最も大きくなる。
【００７０】
このように、紙媒体１００の開閉に連動して、デジタイザ基板１０Ｌ，１０Ｒは紙媒体１００と平行に対向した状態を維持したまま、軸線Ｏを中心に前方に回転する。このとき、取付部７１Ｌ，７２Ｌがそれぞれガイド穴４２Ｌ，４３Ｌを移動し、且つ取付部７１Ｒ，７２Ｒがそれぞれガイド穴４２Ｒ，４３Ｒを移動することで、検出装置７Ｌ，７Ｒの離間距離の変化が吸収される。したがって、紙媒体１００とデジタイザ基板１０Ｌ，１０Ｒとの位置関係は変化しにくいため、デジタイザ基板１０Ｌ，１０Ｒで正確に検出される状態が維持される。
【００７１】
さらに、上記のように表紙１１０Ｒが媒体保持シート５Ｒに正確に位置決めされることにより、タグ収容部５５内に収容されるタグ部１３０とセンサ部２４との位置関係も変化しにくい。そのため、読取装置２に傾斜または振動が生じたり、読取装置２が開閉されたりしても、センサ部２４でタグ部１３０から識別マーク１４０を正確に読み取れる状態が維持される。
【００７２】
図４および図１３に示すように、例えばユーザが読取装置２を折り畳んで携行する場合、開閉カバー４６が面ファスナ４９Ａ，４９Ｂに接着されているため、収容ポケット４７に物品（例えば、書籍や小物）を収容することができる。一方、図１２に示すように、ユーザが読取装置２のバッテリ１９を交換する場合、開閉カバー４６を面ファスナ４９Ａ，４９Ｂから剥がす。これにより、バッテリ着脱口４８を介して、バッテリ装着部８２が外部に露出する。ユーザはカバー８２Ｃを取り外すことで、装着口８２Ａに装着するバッテリ１９を交換できる。
【００７３】
さらに、検出装置７Ｒはバッテリ装着部８２が後方に突出しているため、検出装置７Ｌよりも前後方向の厚みが大きい。一方、外装カバー４の内部では、バッテリ装着部８２がバッテリ着脱口４８の内側に配置される。そのため、ユーザが読取装置２の外観を見た場合、検出装置７Ｒが検出装置７Ｌよりも前後方向の厚みが大きいことが分かりにくい。さらに、読取装置２全体の前後方向の厚みが、バッテリ装着部８２によって大きくなってしまうことを、バッテリ装着部８２をバッテリ着脱口４８の内側に収容することで抑制できる。
【００７４】
＜７．読取装置２のデータ取得原理＞
上述のように紙媒体１００が読取装置２に装着された状態で、ユーザは電子ペン３を用いて用紙１２０に情報を記入する。用紙１２０に対向するデジタイザ基板１０Ｌ，１０Ｒのいずれかによって、用紙１２０に情報を記入する電子ペン３の位置情報が検出される。読取装置２は、検出される電子ペン３の位置情報に基づいて、先述のストロークデータを取得する。
【００７５】
図８を参照して、読取装置２によってストロークデータが取得される原理を、概略的に説明する。ＣＰＵ２１はＡＳＩＣ１１Ａ，１２Ａを制御して、デジタイザ基板１０Ｌ，１０Ｒの各々のループコイルに、一本ずつ特定の周波数の電流（励磁用送信電流）を流す。これにより、デジタイザ基板１０Ｌ，１０Ｒの各々のループコイルから磁界が発生する。この状態で、例えばユーザが電子ペン３を用いて読取装置２に固定された紙媒体１００の用紙１２０に情報を記入すると、電子ペン３がデジタイザ基板１０Ｌ，１０Ｒに近接する。そのため、電子ペン３の共振回路は電磁誘導によって共振し、誘導磁界を生じる。
【００７６】
次に、ＣＰＵ２１はＡＳＩＣ１１Ａ，１２Ａを制御して、デジタイザ基板１０Ｌ，１０Ｒの各々のループコイルからの磁界の発生を停止させる。さらに、電子ペン３の共振回路から発せられる誘導磁界を、デジタイザ基板１０Ｌ，１０Ｒの各々のループコイルで受信する。ＣＰＵ２１はＡＳＩＣ１１Ａ，１２Ａを制御して、デジタイザ基板１０Ｌ，１０Ｒの各々のループコイルに流れる信号電流（受信電流）を検出させる。ＡＳＩＣ１１Ａ，１２Ａがこの動作を全てのループコイルについて一本ずつに実行することで、受信電流に基づいて電子ペン３の位置が検出される。
【００７７】
さらに、電子ペン３を用いて用紙１２０に情報が記入されている状態では、芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、用紙１２０に情報が記入されているか否かを判断できる。
【００７８】
ＣＰＵ２１は、用紙１２０に情報が記入されていると判断した場合、電子ペン３の軌跡を示すストロークデータを取得する。つまり、ＣＰＵ２１は、デジタイザ基板１０Ｌによって検出された電子ペン３の位置に基づいて、読取装置２に位置決めされた表紙１１０Ｌと重なり合う用紙１２０に記入されたストロークデータが取得する。ＣＰＵ２１は、デジタイザ基板１０Ｒによって検出された電子ペン３の位置に基づいて、読取装置２に位置決めされた表紙１１０Ｒと重なり合う用紙１２０に記入されたストロークデータを取得する。取得されたストロークデータは、フラッシュＲＯＭ２２に保存される。
【００７９】
＜８．読取装置２のフォーマット設定処理＞
図１４を参照して、本実施形態の手書入力システム１において、読取装置２で実行されるメイン処理を説明する。読取装置２の電源がＯＮされると、ＣＰＵ２１はフラッシュＲＯＭ２２に記憶されているプログラムに基づいて、図１４に示すフォーマット設定処理を実行する。
【００８０】
図１４に示すように、読取装置２のフォーマット設定処理では、まず識別マーク１４０の読み取りが実行される（Ｓ１）。先述したように、紙媒体１００が読取装置２に装着されている場合、タグ部１３０がタグ収容部５５に挿入されている。ステップＳ１では、センサ部２４が有する六つの光センサの各々から前方に計測光が発せられる。六本の計測光は読取窓７３を介して、媒体保持シート５Ｒの被覆部５９に後方から照射される。このとき、六本の計測光は、センサ穴５８の対応する貫通穴を経由して、タグ部１３０に印刷された識別マーク１４０に照射される。識別マーク１４０で反射された六本の反射光が、センサ部２４によって検出される。センサ部２４は、検出された各反射光に基づいて、識別マーク１４０のバーパターンを読み取る。
【００８１】
次いで、コード情報を検出できたか否かが判断される（Ｓ３）。例えばタグ部１３０がタグ収容部５５に挿入されていない場合、センサ部２４によって適正にバーパターンが読み取れない。このように適正にバーパターンが読み取れなかった場合、コード情報を検出できなかったと判断される（Ｓ３：ＮＯ）。この場合、汎用ノート（例えば、Ａ５サイズの白紙ノート）のフォーマット情報が、読取装置２に装着されている紙媒体１００が有する用紙１２０のフォーマットとして、フラッシュＲＯＭ２２に設定される（Ｓ５）。
【００８２】
一方、センサ部２４によって適正にバーパターンが読み取れた場合、コード情報を検出できたと判断される（Ｓ３：ＹＥＳ）。この場合、検出したコード情報に対応するフォーマット情報が、読取装置２に装着されている紙媒体１００が有する用紙１２０のフォーマットとして、フラッシュＲＯＭ２２に設定される（Ｓ７）。例えば、図１０に示す識別マーク１４０の例では、識別領域１４１、１４４、１４６が黒、識別領域１４２、１４３、１４５が白となるバーパターンが読み取られる。このバーパターンが示すコード情報に基づいて、例えば罫線が２０本引かれたＡ５サイズの文書用フォーマットが、フラッシュＲＯＭ２２に設定される。ステップＳ５またはステップＳ７の実行後、フォーマット設定処理（図１４参照）が終了される。
【００８３】
読取装置２では、フォーマット設定処理（図１４参照）の終了後、先述したように電子ペン３の軌跡を示すストロークデータが、フラッシュＲＯＭ２２に経時的に保存される。読取装置２でストロークデータの取得が終了したのち、ユーザの転送指示に応じて、フラッシュＲＯＭ２２に保存されたストロークデータがＰＣ９（図２参照）に転送される。このとき、ステップＳ５またはステップＳ７で設定されたフォーマット情報も、ＰＣ９に転送される。
【００８４】
ＰＣ９では、読取装置２から転送されたストロークデータに基づいて、用紙１２０に記入された情報を再現可能な画像ファイルが生成される。さらに、読取装置２からステップＳ７で設定されたフォーマット情報が転送された場合、読取装置２に装着されている紙媒体１００が有する用紙１２０のフォーマットと、そのフォーマット上に記入された情報とを忠実に再現できる。なお、読取装置２からステップＳ５で設定されたフォーマット情報が転送された場合、例えば白紙ノートに記入された情報を再現できる。
【００８５】
＜９．第一実施形態の作用効果の例示＞
一対の媒体保持シート５Ｌ，５Ｒは、表紙１１０Ｌが面接触して固定される媒体保持シート５Ｌ、および表紙１１０Ｒが固定される媒体保持シート５Ｒである。媒体保持シート５Ｌには、表紙１１０Ｌを位置決めする位置決め部５１Ｌ，５２Ｌが設けられる。媒体保持シート５Ｒには、表紙１１０Ｒを位置決めする位置決め部５１Ｒ，５２Ｒが設けられる。媒体保持シート５Ｒには、位置決めされた表紙１１０Ｒのタグ部１３０を収容可能なタグ収容部５５が設けられる。
【００８６】
これによれば、媒体保持シート５Ｌ，５Ｒに紙媒体１００が保持された状態では、表紙１１０Ｒのタグ部１３０がタグ収容部５５に収容される。例えばユーザが電子ペン３を用いて用紙１２０に情報を記入中であるとき、電子ペン３がタグ部１３０に接触することが、タグ収容部５５によって防止される。そのため、用紙１２０への記入中に、タグ部１３０が変形することを抑制できる。
【００８７】
タグ収容部５５は、シール部材５６と被覆部５９とで構成された、タグ部１３０を媒体保持シート５Ｒの前面５０Ｒに沿って挿入可能な袋状である。タグ収容部５５は簡易な袋状の構造であるため、製造者は媒体保持シート５Ｒにタグ収容部５５を設けることが容易である。
【００８８】
被覆部５９の少なくとも一部は、センサ穴５８が設けられているため、透光性を有する。タグ収容部５５に収容されたタグ部１３０から、センサ部２４がセンサ穴５８を介して識別マーク１４０を読み取ることができる。
【００８９】
シール部材５６は、非透光性である。センサ部２４がタグ収容部５５に収容されたタグ部１３０から識別マーク１４０を読み取る場合に、センサ部２４が外光の影響を受けることを抑制できる。
【００９０】
媒体保持シート５Ｌには、前面５０Ｌとは反対面側に検出装置７Ｌを固定する連結穴５３Ｌ，５４Ｌが設けられる。連結穴５３Ｌ，５４Ｌは、前面５０Ｌに対して直交する前後方向において、位置決め部５１Ｌ，５２Ｌによって位置決めされた表紙１１０Ｌと重複しない位置に形成される。同様に、媒体保持シート５Ｒには、前面５０Ｒとは反対面側に検出装置７Ｒを固定する連結穴５３Ｒ，５４Ｒが設けられる。連結穴５３Ｒ，５４Ｒは、前面５０Ｒに対して直交する前後方向において、位置決め部５１Ｒ，５２Ｒによって位置決めされた表紙１１０Ｒと重複しない位置に形成される。したがって、媒体保持シート５Ｌ，５Ｒに固定されている一対の表紙１１０Ｌ，１１０Ｒに影響を与えることなく、媒体保持シート５Ｌ，５Ｒを介して紙媒体１００を検出装置７Ｌ，７Ｒに連結できる。
【００９１】
＜１０．変形例の例示＞
（１）本発明は上記第一実施形態に限定されるものではなく、発明の要旨を変更しない範囲での変更が可能である。例えば、紙媒体１００は、媒体保持シート５Ｌ，５Ｒを用いることなく、読取装置２に直接取り付けられてもよい。この変形例を、図１５〜図１７を参照して説明する。本変形例の読取装置２は、外装カバー４を備えていない。ユーザは検出装置７Ｌ，７Ｒに直接触れて、読取装置２を開閉可能である。
【００９２】
図１５および図１７に示すように、変形例の紙媒体１００は、表紙１１０Ｌ，１１０Ｒが用紙１２０よりもページ幅（本実施形態では、左右方向の長さ）が大きい。表紙１１０Ｌのうちで、表紙１１０Ｌに重なる用紙１２０よりも開放側（本実施形態では左側）に延びる部分を、延長部１５０Ｌという。表紙１１０Ｒのうちで、表紙１１０Ｒに重なる用紙１２０よりも開放側（本実施形態では右側）に延びる部分を、延長部１５０Ｒという。
【００９３】
延長部１５０Ｌの開放側の上隅部および下隅部に、それぞれ、ページ幅方向に長い貫通穴である連結穴１５１Ｌ，１５２Ｌが設けられている。延長部１５０Ｒの開放側の上隅部および下隅部に、それぞれ、ページ幅方向に長い貫通穴である連結穴１５１Ｒ，１５２Ｒが設けられている。さらに、上記実施形態と同様の識別マーク１４０が、延長部１５０Ｒにおける連結穴１５１Ｒの下側に設けられている。
【００９４】
一方、変形例の読取装置２では、取付部７１Ｌ，７２Ｌ，７１Ｒ，７２Ｒが、上記実施形態と異なる。取付部７１Ｌは、挿入ピン１７１Ｌおよび挟持板１７３Ｌを備える。挿入ピン１７１Ｌは、前カバー７０Ｌの開放側（本実施形態では左側）の上隅部から前方に突出するピンである。挟持板１７３Ｌは、挿入ピン１７１Ｌに対して開放側に隣接して設けられた、上方に突出する板状部材である。同様に、取付部７２Ｌは、前カバー７０Ｌの開放側の下隅部から突出する挿入ピン１７２Ｌと、挿入ピン１７２Ｌに対して開放側に隣接する挟持板１７４Ｌを備える。
【００９５】
取付部７１Ｒは、前カバー７０Ｒの開放側（本実施形態では右側）の上隅部から突出する挿入ピン１７１Ｒと、挿入ピン１７１Ｒに対して開放側に隣接する挟持板１７３Ｒを備える。取付部７２Ｒは、前カバー７０Ｒの開放側の下隅部から突出する挿入ピン１７２Ｒと、挿入ピン１７２Ｒに対して開放側に隣接する挟持板１７４Ｒを備える。
【００９６】
図１５および図１６に示すように、ユーザが紙媒体１００を読取装置２に取り付ける場合、連結穴１５１Ｌ，１５２Ｌにそれぞれ挿入ピン１７１Ｌ，１７２Ｌを挿入する。これにより、延長部１５０Ｌのうちで連結穴１５１Ｌよりも開放側の部分が、挿入ピン１７１Ｌおよび挟持板１７３Ｌによって挟持される。延長部１５０Ｌのうちで連結穴１５２Ｌよりも開放側の部分が、挿入ピン１７２Ｌおよび挟持板１７４Ｌによって挟持される。したがって、表紙１１０Ｌが、検出装置７Ｌに連結されて、デジタイザ基板１０Ｌに対して位置決めされる。
【００９７】
さらにユーザは、連結穴１５１Ｒ，１５２Ｒにそれぞれ挿入ピン１７１Ｒ，１７２Ｒを挿入する。これにより、延長部１５０Ｒのうちで連結穴１５１Ｒよりも開放側の部分が、挿入ピン１７１Ｒおよび挟持板１７３Ｒによって挟持される。延長部１５０Ｒのうちで連結穴１５２Ｒよりも開放側の部分が、挿入ピン１７２Ｒおよび挟持板１７４Ｒによって挟持される。したがって、表紙１１０Ｒが検出装置７Ｒに固定されて、デジタイザ基板１０Ｒに対して位置決めされる。
【００９８】
本変形例では、センサ部２４が読取窓７３を介して、延長部１５０Ｒに設けられた識別マーク１４０に計測光を照射する。これにより、ＣＰＵ２１は、上記実施形態と同様に、識別マーク１４０からコード情報を読み取って、用紙１２０のフォーマット情報を設定できる。
【００９９】
（２）紙媒体１００または媒体保持シート５Ｌ，５Ｒを読取装置２に取り付ける手法は、上記実施形態および変形例に限定されない。以下では、媒体保持シート５Ｌを読取装置２に取り付ける変形例を例示するが、紙媒体１００および媒体保持シート５Ｒを読取装置２に取り付ける場合も、下記と同様に変形可能であることは言うまでもない。
【０１００】
例えば、読取装置２の取付部７１Ｌ，７２Ｌは、雌型ホックでもよい。この場合、媒体保持シート５Ｌの連結穴５３Ｌ，５４Ｌに代えて、それぞれ雄型ホックを設ける。ユーザは媒体保持シート５Ｌの雄型ホックを、雌型ホックである取付部７１Ｌ，７２Ｌに嵌めることで、媒体保持シート５Ｌを検出装置７Ｌに固定できる。
【０１０１】
読取装置２の取付部７１Ｌ，７２Ｌは、雌型のネジ穴でもよい。この場合、ユーザは媒体保持シート５Ｌの連結穴５３Ｌ，５４Ｌを介して、取付部７１Ｌ，７２Ｌに図示外のネジを螺合することで、媒体保持シート５Ｌを検出装置７Ｌに固定できる。
【０１０２】
読取装置２の取付部７１Ｌ，７２Ｌは、先端に回転体が設けられた回転止め具でもよい。この場合、ユーザは連結穴５３Ｌ，５４Ｌに取付部７１Ｌ，７２Ｌを挿入し、さらに取付部７１Ｌ，７２Ｌの回転体を回転させる。これにより、連結穴５３Ｌ，５４Ｌから取付部７１Ｌ，７２Ｌが抜けることが抑制されて、媒体保持シート５Ｌを検出装置７Ｌに固定できる。
【０１０３】
読取装置２の取付部７１Ｌ，７２Ｌは、可動体によってスライド固定する機構でもよい。例えば、ユーザは連結穴５３Ｌ，５４Ｌに取付部７１Ｌ，７２Ｌを挿入し、さらに取付部７１Ｌ，７２Ｌの可動体を移動させる。これにより、連結穴５３Ｌ，５４Ｌから取付部７１Ｌ，７２Ｌが抜けることが抑制されて、媒体保持シート５Ｌを検出装置７Ｌに固定できる。
【０１０４】
（３）読取装置２は他の方法で電子ペン３の位置を検出してもよい。例えば読取装置２はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１２０に情報を記入する動作が行われた場合、タッチパネルを介して筆圧が加えられた位置を検出してもよい。
【０１０５】
（４）被覆部５９の少なくとも一部は、センサ部２４によって光学的に計測可能な透光性であればよい。例えば、上記実施形態のセンサ穴５８に代えて、被覆部５９の少なくとも一部は透明であってもよい。
【０１０６】
（５）紙媒体１００のサイズ、フォーマット、材質などは、上記実施形態に限定されない。媒体保持シート５Ｌ，５Ｒは、少なくとも紙媒体１００を取り付け可能なサイズであればよい。読取装置２は、紙媒体１００に貼り付けられた媒体保持シート５Ｌ，５Ｒを取り付け可能なサイズ、または、少なくとも紙媒体１００を取り付け可能なサイズであればよい。
【０１０７】
［第二実施形態］
本発明の第二実施形態について、図１８〜図２８を参照して説明する。以下説明では、図１８の上側、下側、左側、右側を、夫々、手書入力システム１８０の後側、前側、左側、右側とする。図１９，図２３の上側、下側、左上側、右下側、右上側、左下側を、夫々、読取装置２００又は検出装置７，８の前側、後側、左側、右側、上側、下側とする。図２０，図２１の上側、下側、左側、右側、手前側、奥側を、夫々、読取装置２００又は外装カバー４００の上側、下側、左側、右側、前側、後側とする。図２２，図２４〜図２６の上側、下側、左側、右側、手前側、奥側を、夫々、読取装置２００、外装カバー４００又は検出装置７，８の上側、下側、右側、左側、後側、前側とする。
【０１０８】
図１８，図１９を参照し、手書入力システム１８０の構成を説明する。手書入力システム１８０は、読取装置２００、電子ペン３、紙媒体５００等を備える。読取装置２００は、左右方向に折り畳み（つまり、二つ折り）可能（図２５参照）であり、ユーザが携行可能なタブレット型の情報入力装置である。電子ペン３は、第一実施形態と同じであり、紙媒体５００にインクで情報（文字、記号、図形、数字等）を記入でき、且つ記入される情報を読取装置２００に入力可能な筆記具である。紙媒体５００は、表紙５０１と表紙５０２との間に複数の用紙５０３が綴じられた左右方向に見開き可能な冊子状の紙媒体である。表紙５０１、表紙５０２、複数の用紙５０３は、各々の縁部の一部で綴じられている。紙媒体５００は、例えばＡ５サイズのノートである。用紙５０３は、例えば罫線が２０本引かれた文書用フォーマットを有する。
【０１０９】
図１８，図１９に示すように、手書入力システム１８０では、読取装置２００の前面に紙媒体５００が固定される。ユーザは、読取装置２００を開き、電子ペン３を用いて、読取装置２００に固定された紙媒体５００の用紙５０３に情報を記入する。読取装置２００は、電子ペン３の軌跡を検出し、ストロークデータを取得して記憶する。ストロークデータとは、読取装置２００によって経時的に検出された電子ペン３の複数の位置情報（例えば、座標情報）を元に、電子ペン３の軌跡を特定したデータである。
【０１１０】
読取装置２００は、第一実施形態と同様に、例えばＰＣ（図示略）と無線通信が可能である。読取装置２００で取得されたストロークデータは、例えばユーザが入力した転送指示に応じてＰＣに転送される。ＰＣは、読取装置２００から転送されたストロークデータに基づき、紙媒体５００に記入された情報を電子化した画像ファイルを生成及び表示可能である。尚、転送指示は、例えば電子ペン３の記入操作で行うことができる。
【０１１１】
図１８〜図２０を参照し、読取装置２００の構成を説明する。読取装置２００は、外装カバー４００、一対の検出装置７，８を備える。外装カバー４００は、左右方向に折り畳み可能である（図２５参照）。外装カバー４００は、例えば合成皮革、ナイロン素材、又はポリエステル素材等で作製され、外力に応じて変形可能な柔軟性を有する。検出装置７，８は、正面視長方形の板状に形成された入力装置である。折り曲げられていない状態の外装カバー４００の前面に対し、検出装置７，８が左右方向に並んで夫々取り付けられている。検出装置７，８は、ハーネス６９０（図２０，図２４参照）を介して互いに電気的に接続されている。
【０１１２】
図２０に示すように、読取装置２００を開くと、検出装置７は左側、検出装置８は右側に配置される。これら検出装置７，８の前面７Ａ，８Ａに対して、紙媒体５００が固定される（図１９参照）。紙媒体５００の表紙５０１は検出装置７の前面７Ａに接触して固定される。表紙５０２は検出装置８の前面８Ａに接触して固定される。検出装置７，８は、紙媒体５００上の電子ペン３の位置を公知の電磁誘導式で経時的に検出し、それら位置情報を元にストロークデータを作成する。作成したストロークデータは、後述するメイン基板１４に搭載したメモリ（図示略、例えばフラッシュＲＯＭ）に記憶する。
【０１１３】
以下、各部材の構造を詳細に説明する。尚、以下説明では、図１９，図２０に示すように、読取装置２００が折り曲げられていない状態（つまり、外装カバー４００の後述する左側覆い部４４１と右側覆い部４４２とが左右方向に平行に並ぶ状態）を基準として、各部位の位置関係を説明する。
【０１１４】
図２１を参照し、外装カバー４００の構造を説明する。外装カバー４００は、折り曲げられていない状態で、左右方向に長い長方形状に形成されている。外装カバー４００は、左側覆い部４４１、右側覆い部４４２、中央部４４３を備える。左側覆い部４４１及び右側覆い部４４２は、正面視長方形の板状に形成され、中央部４４３を介して左右方向に互いに連結されている。左側覆い部４４１及び右側覆い部４４２の各内部には、静電気防止用の樹脂板（図示略）が夫々封入されている。中央部４４３は上下方向に延設され、左側覆い部４４１と右側覆い部４４２を互いに開閉可能に連結する。
【０１１５】
外装カバー４００の前面構造を説明する。図２１に示すように、左側覆い部４４１の前面には、保持シート４４４が設けられている。保持シート４４４は、正面視長方形状の透明の樹脂シートで形成されている。その上端部と下端部と左端部が左側覆い部４４１の前面に対してシールされ、右端側は開口している。保持シート４４４の左端部は、左側覆い部４４１の左端部近傍に位置する。保持シート４４４の右端部は、中央部４４３の左端部から左方に所定距離を空けて位置する。このような保持シート４４４は右端側が開口するポケット（袋）を形成する。検出装置７は、保持シート４４４の内側に右側方から挿入されて保持される（図２０参照）。
【０１１６】
右側覆い部４４２の前面には樹脂シート（図示略）が全面に貼られている。右側覆い部４４２の前面には、樹脂シートを介して検出装置８の裏面が接着剤で固定される（図２０参照）。右側覆い部４４２の略中央には、矩形状の開口部４４７が設けられている。尚、樹脂シートの同位置にも同形状の開口部（図示略）が設けられている。開口部４４７は、検出装置８の背面に設けられた後述するバッテリ装着部１５及び銘板取付部１６（図２４参照）の位置に対応している。
【０１１７】
中央部４４３の前面には、帯状体４４５が設けられている。帯状体４４５は上下方向に延設され、その長手方向両端部が、中央部４４３の上部と下部に夫々固定されている。帯状体４４５の材質は外装カバー４００の材質と同じである。図２０に示すように、検出装置７と８の間に接続されたハーネス６９０は、帯状体４４５と中央部４４３の前面との間に配置される。それ故、ハーネス６９０は帯状体４４５によって隠れるので外部から保護される。さらに、読取装置２００を開いた時に、ハーネス６９０が見えないので、中央部４４３前面の美観を向上できる。
【０１１８】
外装カバー４００の背面構造を説明する。図２２に示すように、左側覆い部４４１の背面には、ポケット４５１が設けられている。尚、図２２は、外装カバー４００の裏表をひっくり返して図示しているので、図２１の左右方向とは逆になっている。ポケット４５１は長方形状に形成され、左側覆い部４４１と略同一幅（左右方向長さ）、且つ左側覆い部４４１の高さ（上下方向長さ）の３／４程度の高さを有する。ポケット４５１は、その右端部、左端部、下端部が左側覆い部４４１の背面にシールされ、上端部が開口している。ポケット４５１には、例えば、筆記具又は資料等を上方から差し込み可能である。
【０１１９】
他方、右側覆い部４４２の背面には、開口部４４７を覆うようにして、開閉カバー４５２が設けられている。開閉カバー４５２は、ポケット４５１と略同一の長方形状に形成されている。開閉カバー４５２は、その中央部４４３側の左端部（図２２において右端部）のみが中央部４４３の背面にシールされ、右端部（図２２において左端部）と下端部がファスナ部４５３，４５４によって左側覆い部４４１の背面に着脱可能とされ、上端部が開口することによってポケット（袋）を形成している。開閉カバー４５２内にも、例えば、筆記具又は資料等を上方から差し込み可能である。
【０１２０】
尚、図２６に示すように、ファスナ部４５３は面ファスナ４５３Ａ，４５３Ｂで構成する。ファスナ部４５４は面ファスナ４５４Ａ，４５４Ｂで構成する。面ファスナ４５３Ａは、右側覆い部４４２の背面において、開口部４４７の右側（図２６において左側）に設けられている。面ファスナ４５３Ｂは、開閉カバー４５２の裏面における左端側（図２６において右端側）に設けられている。面ファスナ４５４Ａは、右側覆い部４４２の背面の下端側に設けられている。面ファスナ４５４Ｂは、開閉カバー４５２の裏面の下端側に設けられている。これにより、ユーザは、開閉カバー４５２を、中央部４４３の背面に対して一端部のみが固定された状態で、横方向（図２６中矢印Ａ１方向）に剥がすことができる。開閉カバー４５２を剥がすと、開口部４４７が露出する。尚、開口部４４７には、検出装置８の裏面に設けられた後述するバッテリ装着部１５及び銘板取付部１６が配置される。
【０１２１】
また、図２２に示すように、右側覆い部４４２の見開き側である右端側には、帯状のバンド４５６が上下方向に延出して設けられている。バンド４５６は伸縮性を有する材質（例えばゴム製）であって、その長手方向両端部が右側覆い部４４２の上端部と下端部に夫々固定されている。例えば、読取装置２００を使用する為に、外装カバー４００を開いた状態では、ユーザは、図２２に示すように、バンド４５６を右側覆い部４４２の背面側に掛けて、開閉カバー４５２上に被せることができる。この場合、ユーザは、読取装置２００の使用中、開閉カバー４５２が外側に捲れて開いてしまうのを防止できる。
【０１２２】
また、読取装置２００を携行する為に、外装カバー４００を折り畳んだ状態では、ユーザは、図２５に示すように、バンド４５６を左側覆い部４４１の背面側に掛けることによって、右側覆い部４４２と左側覆い部４４１を束ねることができる。この場合、ユーザは、読取装置２００の携行中に、外装カバー４００が開いてしまうのを防止できる。
【０１２３】
図２０，図２３，図２４を参照し、検出装置７，８の構造を説明する。図２０，図２３に示すように、検出装置７，８は、何れも正面視縦長の長方形状で、且つ前後方向の厚みが小さい板状の入力装置である。
【０１２４】
図２３に示すように、検出装置７は、前カバー７７５、デジタイザ基板９１、後カバー７７６等を備える。前カバー７７５及び後カバー７７６は縦長略矩形状の樹脂板である。後カバー７７６の前面には、デジタイザ基板９１等の電子部品が配置される基板配置部７７７が設けられている。基板配置部７７７にデジタイザ基板９１などの電子部品が配置された状態で、前カバー７７５が後カバー７７６に組み付けられる。
【０１２５】
図２０，図２３に示すように、前カバー７７５の前面７Ａには凹部７７１が設けられている。凹部７７１は、紙媒体５００の表紙５０１（図１８参照）の綴じ側部分を除く領域に合わせて凹状に形成されている。なお、本実施形態では、凹部７７１の上下方向長さは、紙媒体５００の上下方向長さよりも若干長く調整されている。凹部７７１は位置決め部７７１Ａ，７７１Ｂを備える。位置決め部７７１Ａは凹部７７１の左上角部に位置し、表紙５０１の左上角部５０１Ａ（図１８参照）を位置決めする。位置決め部７７１Ｂは凹部７７１の左下角部に位置する。凹部７７１の検出装置８に対向する縁部である右端部近傍には、粘着部７７２が設けられている。粘着部７７２は例えば微粘着剤で形成された帯状の粘着部位である。粘着部７７２は、凹部７７１に対して位置決めされる表紙５０１と接着する。
【０１２６】
図２３に示すように、検出装置８は、前カバー８８５、デジタイザ基板９２、メイン基板１４、後カバー８８６等を備える。前カバー８８５及び後カバー８８６は、縦長略矩形状の樹脂板である。後カバー８８６の前面には、デジタイザ基板９２、メイン基板１４等の電子部品が配置される基板配置部８８７が設けられている。基板配置部８８７にデジタイザ基板９２、メイン基板１４等の電子部品が配置された状態で、前カバー８８５が後カバー８８６に組み付けられる。前カバー８８５の前面上部には、スイッチ収容部８８３が設けられている。スイッチ収容部８８３はメイン基板１４に設けられる各種スイッチ部品（図示略）を収容する。
【０１２７】
図２０，図２３に示すように、前カバー８８５の前面８Ａには凹部８８１が設けられている。凹部８８１は、紙媒体５００の表紙５０２（図１８参照）の綴じ側部分を除く領域に合わせて凹状に形成されている。なお、本実施形態では、凹部８８１の上下方向長さも、紙媒体５００の上下方向長さよりも若干長く調整されている。凹部８８１は位置決め部８８１Ａ，８８１Ｂを備える。位置決め部８８１Ａは凹部８８１の右上角部に位置し、表紙５０２の右上角部５０２Ａ（図１８参照）を位置決めする。位置決め部８８１Ｂは凹部８８１の右下角部に位置する。凹部８８１の検出装置７に対向する縁部である左端部近傍には、粘着部８８２が設けられている。粘着部８８２は例えば微粘着剤で形成された帯状の粘着部位である。粘着部８８２は、凹部８８１に対して位置決めされる表紙５０２と接着する。
【０１２８】
また、図２４に示すように、後カバー８８６の背面略中央部には、バッテリ装着部１５及び銘板取付部１６が互いに左右方向に隣接して背面視矩形状に設けられている。バッテリ装着部１５は、正面視長方形状に形成された所定の厚みを有する板状に形成され、後カバー８８６の背面から後方に突出している（図２７参照）。尚、バッテリ装着部１５の突出する高さは、後述する銘板取付部１６の突出する高さよりも高い。バッテリ装着部１５には、検出装置７，８に電源を供給するバッテリ（図示略）が装着され、その上からバッテリカバー１７が取り付けられる。バッテリ装着部１５の後カバー８８６の背面から後方に突出する側面のうち、後カバー８８６の上端部に対向する上側面１５Ａは、上方から下方に向かうに従って背面から離間するように傾斜している。
【０１２９】
銘板取付部１６も、正面視長方形状に形成された所定の厚みを有する板状に形成され、後カバー８８６の背面から後方に突出している（図２８参照）。銘板取付部１６の背面から後方に突出する高さは、外装カバー４００の右側覆い部４４２の厚みと略同一である。銘板取付部１６には、読取装置２００の銘板（図示略）が取り付けられる。銘板とは、例えば、小型の平板に読取装置２００の銘柄（仕様）を表示した板、プレート、又はシールを指す。銘板取付部１６の後カバー８８６の背面から後方に突出する側面のうち、後カバー８８６の上端部に対向する上側面１６Ａも、上方から下方に向かうに従って背面から離間するように傾斜している。つまり、上側面１５Ａ，１６Ａは同一面で、且つ同一角度で傾斜している。
【０１３０】
図２３に示すデジタイザ基板９１，９２は、Ｘ軸方向（具体的には、左右方向）及びＹ軸方向（具体的には、上下方向）の各々に細長いループコイルが多数配列された基板であって、近接する電子ペン３（図１８参照）の位置を検出可能である。デジタイザ基板９１，９２は、夫々、検出装置７，８のほぼ全面に亘る大きさを有する上下方向に長い矩形状である。デジタイザ基板９１，９２は、夫々、Ａ５サイズの表紙５０１及び表紙５０２の綴じ側を除く紙面略全体に対向可能な検出範囲を有する。
【０１３１】
メイン基板１４は、図示しないＣＰＵ、フラッシュＲＯＭ、無線通信部等を備える。ＣＰＵは読取装置２００の制御を行う。フラッシュＲＯＭは、ＣＰＵが読取装置２００を制御する為に実行する各種プログラムや、電子ペン３のストロークデータ等を記憶する。無線通信部は、外部の電子機器（例えばＰＣ）と近距離無線通信を実行する為のコントローラである。
【０１３２】
次に、外装カバー４００に対する検出装置７，８の取付手順を説明する。作業者は、図２０に示すように、先ず、検出装置７を、凹部７７１を前方に向けた状態で、外装カバー４００の左側覆い部４４１の前面に設けた保持シート４４４の内側に対し、右側方から挿入する。検出装置７は保持シート４４４の内側に保持される。次に、検出装置７と検出装置８をハーネス６９０で接続する（図２４参照）。ハーネス６９０は、中央部４４３の前面と帯状体４４５との間に通す（図２０参照）。そして、検出装置８の背面を、外装カバー４００の右側覆い部４４２の前面に接着剤で固定する。このとき、図２６に示すように、バッテリ装着部１５及び銘板取付部１６を、右側覆い部４４２に設けた開口部４４７の内側に挿入する。こうして、検出装置７，８は互いに左右方向に並んで配置される。この状態で、検出装置７は、保持シート４４４の内側において、検出装置８に対して接離する方向に移動可能となる。
【０１３３】
ここで、図２０に示すように、検出装置８の左端部は帯状体４４５の右端部に被らないようになっている。それ故、外装カバー４００を折り畳んだ場合に、検出装置８の左端部と帯状体４４５の右端部とが干渉しない。また、検出装置７を保持シート４４４の左側方に押し込んだ状態で、検出装置７の右端部は帯状体４４５の左端部の前面に被せて配置される。これにより、読取装置２００の開閉に応じて、検出装置７が検出装置８に接離する方向に移動した場合でも、検出装置７の右端部が帯状体４４５の左端側に引っ掛かる虞がない。このようにして、外装カバー４００に対して検出装置７，８の取付作業が完了し、読取装置２００が完成する。
【０１３４】
そして、図２６に示すように、バッテリ装着部１５及び銘板取付部１６は、外装カバー４００の右側覆い部４４２に設けた開口部４４７の内側に挿入して配置されている。これにより、バッテリ装着部１５及び銘板取付部１６の厚みは、外装カバー４００の右側覆い部４４２の厚みによって吸収される。よって、本実施形態は読取装置２００の製品全体の厚みを軽減できるので、読取装置２００の持ち運び易さ、及び扱い易さを向上できる。さらに、本実施形態では、バッテリ装着部１５の厚みを外装カバー４の厚みで吸収できるので、バッテリ装着部１５をデジタイザ基板９２と重なる位置に敢えて設けることによって、検出装置８のサイズをコンパクトにもできる。
【０１３５】
また、バンド４５６を開閉カバー４５２から外し、開閉カバー４５２を横方向に引き剥がすことで、図２６に示すように、開口部４４７を介して、バッテリ装着部１５及び銘板取付部１６を外部に露出させることができる。これにより、ユーザは、検出装置８を外装カバー４の右側覆い部４４２から取り外すことなく、バッテリ装着部１５に対してバッテリを着脱できる。また、開口部４４７を介して、銘板取付部１６に取り付けられた銘板（図示略）の情報を確認できる。
【０１３６】
さらに、本実施形態では、銘板取付部１６を、外装カバー４００の右側覆い部４４２の厚みと略同一の高さまで突出させている。これにより、ユーザが右側覆い部４４２を開閉カバー４５２を介して触ったときに、銘板取付部１６と開閉カバー４５２の段差が目立たなくなるので、持ち運び易さを向上できる。また、銘板取付部１６とバッテリ装着部１５との段差も目立たなくすることができる。
【０１３７】
また、右側覆い部４４２の背面において、開口部４４７は常時、開閉カバー４５２によって覆われている。これにより、開口部４４７内のバッテリ装着部１５及び銘板取付部１６は隠れて見えないので、外装カバー４００の美観を向上できる。即ち、開閉カバー４５２は、開口部４４７を開閉しつつポケットとしても機能するので、機能性に富んだ読取装置２００を提供できる。
【０１３８】
そして、図２５に示すように、読取装置２００を折り畳んだ状態において、開閉カバー４５２の内側では、開口部４４７からバッテリ装着部１５が若干突出している。本実施形態では、バッテリ装着部１５の上側面１５Ａは、上方から下方に向かうに従って背面から離間するように傾斜している。つまり、上側面１５Ａは、開閉カバー４５２内に挿入される資料等の収納物の挿入方向（図２６中矢印Ａ２方向）に向かって傾斜している。これにより、開閉カバー４５２内に資料等が挿入された場合、資料の端部は上側面１５Ａに沿って摺動するので、バッテリ装着部１５の側面の段差に引っ掛からない。さらに、銘板取付部１６の上側面１６Ａも、上側面１５Ａと同様に傾斜しているので、開閉カバー４５２内に挿入される資料の端部が上側面１６Ａに引っ掛かることもない。従って、ユーザは開閉カバー４５２に対し、資料等の収納物を開閉カバー４５２の奥までスムーズに挿入できる。
【０１３９】
次に、検出装置７，８に対する紙媒体５００の取付手順を説明する。図１８，図１９に示すように、ユーザは、紙媒体５００の表紙５０１を、検出装置７の凹部７７１と保持シート４４４との間の隙間に対して右側方から滑り込ませる。保持シート４４４は透明であるので、保持シート４４４の上から確認しながら、表紙５０１の位置を調整できる。そして、位置決め部７７１Ａに対して、表紙５０１の左上角部５０１Ａを突き当てることによって、左上角部５０１Ａが位置決め部７７１Ａに位置決めされる。そして、表紙５０１の左上角部５０１Ａを、位置決め部７７１Ａに位置決めした後、表紙５０１を凹部７７１に対して見開き側から綴じ側に向かって徐々に接触させ、粘着部７７２に接着させる。これにより、表紙５０１は凹部７７１に対して確実に固定される。
【０１４０】
次いで、紙媒体５００の表紙５０２を、検出装置８の凹部８８１に位置決めして固定する。このとき、紙媒体５００の厚みに応じて、表紙５０２が既に固定された検出装置７を検出装置８側に寄せる。そして、表紙５０２の右上角部５０２Ａを、凹部８８１の位置決め部８８１Ａに突き当てて位置決めする。その後、表紙５０２を凹部８８１に対して見開き側から綴じ側に向かって徐々に接触させ、粘着部８８２に接着させる。これにより、表紙５０２は凹部８８１に対して確実に固定される。こうして、検出装置７，８に対する紙媒体５００の取付作業が完了し、電子ペン３による書き込みが可能となる。
【０１４１】
そして、検出装置７，８に紙媒体５００が取り付けられた状態では、図１９に示すように、紙媒体５００の下端部と、凹部７７１，８８１の各下端部との間には、若干の隙間が生じるようになっている。これにより、凹部７７１，８８１の上側に位置する位置決め部７７１Ａ，８８１Ａに対して、表紙５０１の左上角部５０１Ａと、表紙５０２の右上角部５０２Ａとを下方から移動させて突き当てることができる。よって、検出装置７，８に対する紙媒体５００の位置決めの作業性を向上できる。また、上記隙間によって、紙媒体５００の寸法誤差を吸収することもできる。
【０１４２】
尚、以上説明において、読取装置２００は本発明の情報入力装置に相当する。検出装置８は本発明の第一検出部に相当する。検出装置７は本発明の第二検出部に相当する。外装カバー４００は本発明のカバー部に相当する。右側覆い部４４２は本発明の第一覆い部に相当する。左側覆い部４４１は本発明の第二覆い部に相当する。銘板取付部１６は本発明の表示部に相当する。表紙５０２は本発明の第一表紙に相当する。表紙５０１は本発明の第二表紙に相当する。
【０１４３】
以上説明したように、本実施形態の読取装置２００は紙媒体５００に電子ペン３で書き込まれる情報を取得可能な装置である。読取装置２００は、一対の検出装置７，８と、外装カバー４００を備える。外装カバー４００は左右方向に折り畳み可能である。検出装置７，８は、折り曲げられていない状態の外装カバー４００の前面に対し、左右方向に並んで夫々取り付けられている。これら検出装置７，８の前面７Ａ，８Ａに対して、紙媒体５００が固定される。外装カバー４００の右側覆い部４４２の前面には、検出装置８の背面が接触して固定されている。検出装置８の背面には、バッテリ装着部１５が突出して設けられている。右側覆い部４４２の中央には矩形状の開口部４４７が設けられ、開口部４４７に対して、バッテリ装着部１５が挿入されて配置されている。それ故、バッテリ装着部１５は開口部４４７を介して、右側覆い部４４２の背面側に露出している。これにより、バッテリ１９の着脱時に外装カバー４００から検出装置８を外す手間が不要となる。さらに、右側覆い部４４２の厚みでバッテリ装着部１５の厚みを吸収できるので、製品全体の厚みを軽減できる。
【０１４４】
また、上記実施形態では、右側覆い部４４２の背面には、開口部４４７を外側から覆うと共に、開口部４４７に対して開閉可能な開閉カバー４５２が設けられている。開閉カバー４５２で開口部４４７を隠すことができるので、読取装置２のデザイン性を損なうことがない。
【０１４５】
また、上記実施形態では、バッテリ装着部１５の上側面１５Ａが、開閉カバー４５２の開口側から内側に挿入される収納物の挿入方向に傾斜している。上側面１５Ａは、開閉カバー４５２の開口側に対向する部分である。これにより、資料や筆記具等を開閉カバー４５２に入れる際、資料の端部がバッテリ装着部１５の上側面１５Ａの段差に引っ掛からないので、収納物の入れ易さを向上できる。
【０１４６】
また、上記実施形態では、検出装置８の背面には、バッテリ装着部１５に隣接して、銘板取付部１６が突出して設けられている。右側覆い部４４２に設けられた開口部４４７に対して、バッテリ装着部１５及び銘板取付部１６が共に挿入されて配置されている。銘板取付部１６の突出する高さは、右側覆い部４４２の厚みと略同一である。これにより、右側覆い部４４２との段差や、バッテリ装着部１５との段差が目立たなくなるので、読取装置２００を持ち易くすることができる。さらに、銘板取付部１６の上側面１６Ａも、開閉カバー４５２の開口側から内側に挿入される収納物の挿入方向に傾斜している。上側面１６Ａは、開閉カバー４５２の開口側に対向する部分である。これにより、資料や筆記具等を開閉カバー４５２内に入れる際、銘板取付部１６の上側面１６Ａの段差にも引っ掛からないので、収納物の入れ易さをさらに向上できる。
【０１４７】
また、上記実施形態では、右側覆い部４４２の上部と下部の間に、伸縮可能な帯状のバンド４５６が設けられている。外装カバー４００を閉じた状態では、バンド４５６を左側覆い部４４１に掛け止めすることによって、運搬時に外装カバー４００が開いてしまうのを防止できる。読取装置２００を使用する為に、外装カバー４００を開いた状態では、バンド４５６を開閉カバー４５２に掛け止めすることによって、開閉カバー４５２が容易に開いてしまうのを防止できる。さらに、バンド４５６は、右側覆い部４４２の開放端側に設けられているので、右側覆い部４４２及び開閉カバー４５２の何れに対しても容易に掛け止めできる。
【０１４８】
尚、本発明は上記第二実施形態に限定されるものではなく、発明の要旨を変更しない範囲での変更が可能である。上記第二実施形態では、一対の検出装置７，８を備えた読取装置２００を説明したが、一つの検出装置を備えた読取装置にも本発明は適用可能である。また、上記実施形態では、冊子状の紙媒体５００を使用した場合を一例として説明したが、例えば一枚の用紙でも使用可能であり、表紙を備えない複数の用紙を綴じて構成される紙媒体でも使用可能である。
【０１４９】
また、上記第二実施形態では、外装カバー４００の右側覆い部４４２の背面において、バッテリ装着部１５に隣接して銘板取付部１６を設けているが、銘板取付部１６は省略してもよい。また、本実施形態の銘板取付部１６は、銘板を取り付ける部位であるが、銘板以外のものを貼り付けてもよい。
【０１５０】
また、上記第二実施形態では、位置決め部７７１Ａ，８８１Ａを、凹部７７１，８８１の一部で夫々構成しているが、凹部７７１，８８１ではなく、検出装置７，８の前面７Ａ，８Ａ上において、例えばＬ字状の突起で構成してもよく、位置決めの方法については限定されない。さらに、上記第二実施形態では、表紙５０１及び表紙５０２の夫々の見開き側の端部のうち上側の角部を夫々位置決めしているが、表紙５０１の両角部のうち少なくとも一方を位置決めし、表紙５０２の両角部のうち少なくとも一方を位置決めすればよい。例えば、凹部７７１，８８１の下側に位置する位置決め部７７１Ｂ，８８１Ｂに対して、表紙５０１の左下角部５０１Ｂと、表紙５０２の右下角部５０２Ｂとを突き当てて位置決めしてもよい。
【符号の説明】
【０１５１】
１，１８０  手書入力システム
２，２００  読取装置
３  電子ペン
４，４００  外装カバー
４Ｌ，４４１  左側覆い部
４Ｒ，４４２  右側覆い部
７Ｌ，７Ｒ，７，８  検出装置
１５，８２  バッテリ装着部
１５Ａ  上側面
１６  銘板取付部
１６Ａ  上側面
１７  バッテリカバー
１９  バッテリ
４６，４５２  開閉カバー
４７  収容ポケット
４８  バッテリ着脱口
１００，５００  紙媒体
１１０Ｌ，５０１  表紙
１１０Ｒ，５０２  表紙
１２０，５０３  用紙
４４７  開口部
４５６  バンド
【図１】
2014115974.tif 000003
【図２】
2014115974.tif 000004
【図３】
2014115974.tif 000005
【図４】
2014115974.tif 000006
【図５】
2014115974.tif 000007
【図６】
2014115974.tif 000008
【図７】
2014115974.tif 000009
【図８】
2014115974.tif 000010
【図９】
2014115974.tif 000011
【図１０】
2014115974.tif 000012
【図１１】
2014115974.tif 000013
【図１２】
2014115974.tif 000014
【図１３】
2014115974.tif 000015
【図１４】
2014115974.tif 000016
【図１５】
2014115974.tif 000017
【図１６】
2014115974.tif 000018
【図１７】
2014115974.tif 000019
【図１８】
2014115974.tif 000020
【図１９】
2014115974.tif 000021
【図２０】
2014115974.tif 000022
【図２１】
2014115974.tif 000023
【図２２】
2014115974.tif 000024
【図２３】
2014115974.tif 000025
【図２４】
2014115974.tif 000026
【図２５】
2014115974.tif 000027
【図２６】
2014115974.tif 000028
【図２７】
2014115974.tif 000029
【図２８】
2014115974.tif 000030